(57)【特許請求の範囲】
【請求項１】
建物内の所定の位置にそれぞれ設置された複数の標識装置と，前記標識装置と無線によるデータ通信が可能な携帯型のユーザ端末とを備える屋内誘導システムであって，
前記複数の標識装置は，それぞれ，
前記建物内の複数の目的地の識別情報と前記目的地各々に対応付けられた標識装置の識別情報とを示す目的地情報を記憶する目的地情報記憶部と，
前記複数の目的地毎に，自標識装置の設置位置から当該目的地に対応する標識装置の設置位置へ到達する経路において自標識装置の次に経由する標識装置への方角を示すルート情報を記憶するルート情報記憶部と，
前記ユーザ端末から誘導要求を受信した場合に，前記誘導要求をしたユーザ端末へ前記目的地情報を送信する処理と，前記ユーザ端末から目的地の識別情報を受信した場合に，前記受信した目的地のルート情報を，前記誘導要求をしたユーザ端末へ送信する処理を行うデータ通信部とを備えて，
前記ユーザ端末は，
情報を表示する表示部と，
自ユーザ端末が面する方角を取得する方角取得部と，
前記複数の標識装置のうち，自ユーザ端末と最短距離に位置する標識装置と通信を行うデータ通信部と，
前記標識装置から前記目的地情報を取得して，前記取得した目的地情報から誘導を要求する目的地を選択し，前記選択した目的地の識別情報を前記標識装置へ送信する目的地選択部と，
前記標識装置から前記選択した目的地のルート情報を取得して，前記ルート情報に示された方角と前記方角取得部が取得した方角とに基づいて誘導用矢印の表示角度を計算する方角計算部と，
自ユーザ端末の正面を示す基準軸から前記表示角度に傾けた前記誘導用矢印を前記表示部へ表示させる誘導表示処理部と，
前記データ通信部が通信を行った標識装置が前記選択した目的地に対応する標識装置である場合に，前記方角計算部と前記誘導表示処理部の処理を停止して，所定のメッセージを前記表示部に表示させる目的地判定部とを備える
ことを特徴とする屋内誘導システム。
【請求項２】
前記ユーザ端末は，
所定の時間経過を検出する更新タイマ部を備えて，
前記方角取得部は，前記更新タイマ部が前記所定の時間経過を検出すると，自ユーザ装置が面する方角を取得する処理を行い，
前記方角計算部が，前記取得したルート情報の方角と前記方角取得部が取得した方角とに基づいて前記表示角度を計算する処理を行い，
前記誘導表示処理部が，前記基準軸から前記表示角度に傾けた前記誘導用矢印を前記表示部へ表示させる処理を行う
ことを特徴とする請求項１に記載の屋内誘導システム。
【請求項３】
前記建物が複数の階層を備える場合に，前記複数の階層各々に設置された複数の標識装置のうち，他の階層への移動手段に対応付けられた標識装置について，前記方角の代わりに，次に経由する階層を示すルート情報を前記ルート情報記憶部が記憶する
ことを特徴とする請求項１または請求項２に記載の屋内誘導システム。
【請求項４】
前記建物が複数の階層を備える場合に，前記複数の階層各々に設置された複数の標識装置のうち，目的地に対応付けられた標識装置について，前記方角の値を無設定にしたルート情報を前記ルート情報記憶部が記憶する
ことを特徴とする請求項１ないし請求項３のいずれか一項に記載の屋内誘導システム。
【請求項５】
前記建物に設置された標識装置のアドレス情報を記憶する標識装置アドレス記憶部と，
前記目的地情報を記憶する目的地情報記憶部と，
前記複数の標識装置各々における前記複数の目的地のルート情報を記憶するルート情報記憶部と，
前記目的地情報の更新情報を受け付けて前記目的地情報記憶部に記憶するとともに，前記受け付けた目的地情報の更新情報を前記標識装置へ送信する処理と，前記ルート情報の更新情報を受け付けて前記ルート情報記憶部に記憶するとともに，前記ルート情報の更新情報を該当する標識装置へ送信するデータ配信手段とを備える
管理装置を備える
ことを特徴とする請求項１ないし請求項４のいずれか一項に記載の屋内誘導システム。
【請求項６】
建物内を誘導する屋内誘導システムで使用されるために，建物内の所定の位置に設置される標識装置であって，
前記建物内の複数の目的地の識別情報と前記目的地各々に対応付けられた標識装置の識別情報とを示す目的地情報を記憶する目的地情報記憶部と，
前記複数の目的地毎に，自標識装置の設置位置から当該目的地に対応する標識装置の設置位置へ到達する経路において自標識装置の次に経由する標識装置への方角を示すルート情報を記憶するルート情報記憶部と，
前記屋内誘導システムの他の装置から前記目的地情報を取得して前記目的地情報記憶部へ格納する処理と，前記屋内誘導システムの他の装置から前記ルート情報を取得して前記ルート情報記憶部に格納する処理と，誘導を受けるユーザ端末と無線通信を行って，前記ユーザ端末から誘導要求を受信した場合に，前記誘導要求をしたユーザ端末へ前記目的地情報を送信する処理と，前記ユーザ端末から目的地の識別情報を受信した場合に，前記受信した目的地のルート情報を，前記誘導要求をしたユーザ端末へ送信する処理とを行うデータ通信部とを備える
ことを特徴とする屋内誘導システム用標識装置。
【請求項７】
建物内を誘導する屋内誘導システムで使用されるために，ユーザが携帯するユーザ端末であって，
情報を表示する表示部と，
自ユーザ端末が面する方角を取得する方角取得部と，
誘導される建物内に設置された複数の標識装置のうち，自端末と最短距離に位置する標識装置と無線通信を行うデータ通信部と，
前記建物内の複数の目的地の識別情報と前記目的地各々に対応付けられた標識装置の識別情報とを示す目的地情報と，前記複数の目的地毎に，自標識装置の設置位置から当該目的地に対応する標識装置の設置位置へ到達する経路において自標識装置の次に経由する標識装置への方角を示すルート情報とをそれぞれ記憶する前記複数の標識装置のうち，前記無線通信を行っている標識装置から，前記目的地情報を取得して，前記目的地情報をもとに誘導を要求する目的地の識別情報を前記標識装置へ送信する目的地選択部と，
前記標識装置から，前記送信した識別情報の目的地のルート情報を取得して，前記取得したルート情報に示された方角と前記方角取得部が取得した方角とに基づいて誘導用矢印の表示角度を計算する方角計算部と，
自ユーザ端末の正面を示す基準軸から前記表示角度に傾けた前記誘導用矢印を前記表示部へ表示させる誘導表示処理部と，
前記データ通信部が通信を行った標識装置が前記選択した目的地に対応する標識装置である場合に，前記方角計算部と前記誘導表示処理部の処理を停止して，所定のメッセージを前記表示部に表示させる目的地判定部とを備える
ことを特徴とする屋内誘導システム用ユーザ端末。
【請求項８】
建物内を誘導する屋内誘導システムで使用されるデータを生成するデータ生成装置であって，
誘導を行う建物内の平面図データを取得して，予め設定された間隔に基づいて，前記平面図データ内の所定の位置に標識装置の設置位置を設定する処理と，前記平面図データ内に設定された標識装置について，所定の隣接関係にある標識装置同士を接続して隣接線を設定して，前記標識装置同士の設置位置の関係を示す標識装置情報を生成する処理とを行う標識装置情報生成部と，
前記建物内に設置された標識装置に目的地を対応付けて，前記対応付けた目的地の識別情報と前記標識装置の識別情報とを示す目的地情報を生成する目的地情報生成部と，
前記標識装置情報と前記目的地情報とをもとに，前記標識装置の各々から前記目的地情報の各目的地への最適経路を解析し，前記解析した最適経路を構成する標識装置の並びを決定する処理と，前記決定した標識装置の並びをもとに，当該最適経路を構成する標識装置各々について，自標識装置から当該最適経路において次に経由する標識装置への方角を特定し，前記特定した方角を示すルート情報を生成する処理とを行うルート情報生成部と，
前記目的地情報と前記ルール情報とを前記屋内誘導システムへ出力するデータ出力部とを備える
ことを特徴とする屋内誘導システム用データ生成装置。
【請求項９】
前記標識装置情報生成部は，前記平面図データ上に設置された前記標識装置または前記隣接線のうち管理者によって削除対象とされたものを削除する
ことを特徴とする請求項８に記載の屋内誘導システム用データ生成装置。
【請求項１０】
前記ルート情報生成部は，前記目的地情報の目的地ごとに，前記標識装置情報に設定された全ての標識装置から当該目的地への全ての経路を生成して，経路を経由するコストが最小となる経路を最適経路として特定する
ことを特徴とする請求項８または請求項９に記載の屋内誘導システム用データ生成装置。
【請求項１１】
建物内を誘導する屋内誘導システムで使用するために，情報を表示する表示部と自端末が面する方角を取得する方角取得部とを備えたユーザ端末に，
誘導される建物内に設置された複数の標識装置のうち，自端末と最短距離に位置する標識装置と無線通信を行うデータ通信処理と，
前記建物内の複数の目的地の識別情報と前記目的地各々に対応付けられた標識装置の識別情報とを示す目的地情報と，前記複数の目的地毎に，自標識装置の設置位置から当該目的地に対応する標識装置の設置位置へ到達する経路において自標識装置の次に経由する標識装置への方角を示すルート情報とをそれぞれ記憶する前記複数の標識装置のうち，前記無線通信を行っている標識装置から，前記目的地情報を取得して，前記目的地情報をもとに誘導を要求する目的地を選択し，前記選択した目的地の識別情報を前記標識装置へ送信する目的地選択処理と，
前記無線通信を行っている標識装置から，前記送信した識別情報の目的地のルート情報を取得して，前記取得したルート情報に示される方角と前記方角取得部が取得した方角とに基づいて誘導用矢印の表示角度を計算する方角計算処理と，
自ユーザ端末の正面を示す基準軸から前記表示角度に傾けた前記誘導用矢印を前記表示部へ表示させる誘導表示処理と，
前記データ通信部が通信を行った標識装置が前記選択した目的地に対応する標識装置である場合に，前記方角計算部と前記誘導表示処理部の処理を停止して，所定のメッセージを前記表示部に表示させる目的地判定処理とを，
実行させるための誘導情報表示プログラム。
【発明の詳細な説明】
【技術分野】
【０００１】
本発明は，屋内の目的地にユーザを誘導するための屋内誘導システム，および屋内誘導システム用の標識装置，ユーザ端末，データ生成装置に関する。
【背景技術】
【０００２】
従来，ＧＰＳ機能を搭載した携帯端末を用いて，ユーザの現在位置から所定の目的地への案内情報を表示するシステムが知られている。
【０００３】
また，ＧＰＳ機能を利用しない案内システムとして，要所に配置されたサインマーカーとその配置情報を含む地図情報をもとに，撮影機能付き携帯端末でユーザが撮影した周囲の風景画像を解析して，風景画像に含まれる所定のサインマーカーからユーザの現在位置と目的地への方向とを特定して，ユーザの行き先方向を示す矢印を風景画像に合成して携帯端末に表示させるものが知られている（例えば，特許文献１参照）。
【先行技術文献】
【特許文献】
【０００４】
【特許文献１】特開２００６−１０１０１３号公報
【発明の概要】
【発明が解決しようとする課題】
【０００５】
従来のＧＰＳ機能を利用した案内システムは，ＧＰＳ電波が屋内で受信できないことから，建物内の目的地への案内に適用することができなかった。
【０００６】
また，特許文献１の手法は，おおまかな方向への誘導であり，屋内の案内に利用された場合に，ユーザが表示された方向へ進んでいったとしても，目的地まで到達することが難しい場合がある。また，細やかな案内を行おうとすると，ユーザは何回も周囲の画像を撮影して送信しなければならなかった。さらに，撮影画像をサーバへ送信して解析結果を受信するため，ユーザが案内情報を得るまでに一定の時間を要してしまうという問題があった。
【０００７】
本願発明の目的は，ユーザが屋内の目的地へ確実に到達できるように，ユーザの現在位置から目的地へ到達するために進む方向を示す誘導情報を表示する屋内誘導システムを提供することにある。
【０００８】
また，本願発明の別の目的は，上記の屋内誘導システムに使用される標識装置，ユーザが携帯するユーザ端末，データ生成装置を提供することにある。
【課題を解決するための手段】
【０００９】
本願において開示される屋内誘導システムの代表的なものの概要を簡単に説明すれば，以下のとおりである。すなわち，屋内誘導システムは，建物内の所定の位置にそれぞれ設置された複数の標識装置と，前記標識装置と無線によるデータ通信が可能な携帯型のユーザ端末とを含む。
【００１０】
前記の複数の標識装置は，それぞれ，建物内の複数の目的地の識別情報と目的地各々に対応付けられた標識装置の識別情報とを示す目的地情報を記憶する目的地情報記憶部と，複数の目的地毎に，自標識装置の設置位置からその目的地に対応する標識装置の設置位置へ到達する経路において自標識装置の次に経由する標識装置への方角を示すルート情報を記憶するルート情報記憶部と，ユーザ端末から誘導要求を受信した場合に，誘導要求をしたユーザ端末へ目的地情報を送信する処理とユーザ端末から目的地の識別情報を受信した場合に，受信した目的地のルート情報を，誘導要求をしたユーザ端末へ送信する処理を行うデータ通信部とを備える。
【００１１】
また，前記のユーザ端末は，情報を表示する表示部と，自ユーザ端末が面する方角を取得する方角取得部と，建物に設置された複数の標識装置のうち，自ユーザ端末と最短距離に位置する標識装置と通信を行うデータ通信部と，標識装置から目的地情報を取得して，取得した目的地情報から誘導を要求する目的地を選択し，選択した目的地の識別情報を標識装置へ送信する目的地選択部と，標識装置から選択した目的地のルート情報を取得して，ルート情報に示された方角と方角取得部が取得した方角とに基づいて誘導用矢印の表示角度を計算する方角計算部と，自ユーザ端末の正面を示す基準軸から表示角度に傾けた誘導用矢印を表示部へ表示させる誘導表示処理部と，データ通信部が通信を行った標識装置が選択した目的地に対応する標識装置である場合に，方角計算部と誘導表示処理部の処理を停止して，所定のメッセージを表示部に表示させる目的地判定部とを備える。
【００１２】
屋内誘導システムでは，以下のように作用する。
【００１３】
ユーザ端末では，方角取得部が，自端末が面する方角を取得し，データ通信部が，建物内に設置された複数の標識装置のうち最寄りに位置する標識装置と無線通信を行う。
【００１４】
標識装置は，ユーザ端末から誘導要求を受信すると，誘導要求をしたユーザ端末へ目的地情報を送信する。
【００１５】
ユーザ端末では，目的地選択部が，目的地情報から誘導を希望する目的地を選択して，データ通信部が選択した目的地の識別情報を標識装置へ送信する。これに対し，標識装置は，受信した目的地のルート情報をユーザ端末へ送信する。
【００１６】
ユーザ端末では，方角計算部が，ルート情報の方角と方角取得部が取得した方角とに基づいて，誘導用矢印の表示角度を計算する。そして，誘導表示処理部が，自ユーザ端末の正面を示す基準軸から表示角度に傾けた誘導用矢印を表示部へ表示させる。または，目的地判定部は，通信を行った標識装置が選択した目的地に対応する標識装置である場合に，方角計算部と誘導表示処理部の処理を停止して，所定のメッセージを表示部に表示させる。
【００１７】
また，本発明は，別の実施の態様において，建物内を誘導する屋内誘導システムで使用されるデータを生成するデータ生成装置であって，誘導を行う建物内の平面図データを取得して，予め設定された間隔に基づいて，平面図データ内の所定の位置に標識装置の設置位置を設定する処理と，平面図データ内に設定された標識装置について，所定の隣接関係にある標識装置同士を接続して隣接線を設定して，標識装置同士の設置位置の関係を示す標識装置情報を生成する処理とを行う標識装置情報生成部と，建物内に設置された標識装置に目的地を対応付けて，対応付けた目的地の識別情報と標識装置の識別情報とを示す目的地情報を生成する目的地情報生成部と，標識装置情報と目的地情報とをもとに，標識装置の各々から目的地情報の各目的地への最適経路を解析し，解析した最適経路を構成する標識装置の並びを決定する処理と，決定した標識装置の並びをもとに，その最適経路を構成する標識装置各々について，自標識装置からその最適経路において次に経由する標識装置への方角を特定し，特定した方角を示すルート情報を生成する処理とを行うルート情報生成部と，目的地情報とルール情報とを屋内誘導システムへ出力するデータ出力部とを備える。
【発明の効果】
【００１８】
上記した屋内誘導システムにより，ユーザ端末は，建物内に設置された複数の標識装置のうち最寄りに設置された標識装置から得たルート情報を取得して，自端末が面する方角とルート情報の方角（目的地へ向かうために次に経由する標識装置が設置された位置への方角）とをもとに誘導用矢印の表示角度を特定する。そして，ユーザ端末の表示部に，表示角度で傾けた誘導用矢印を表示する。
【００１９】
これによって，ユーザは，自身の現在位置から目的地に向かって進むべき方角をリアルタイムで知ることができ，表示される誘導用矢印に従って進むことにより，目的地へ確実に到達することができる。
【００２０】
また，屋内誘導システム用データ生成装置は，上記の屋内誘導システムが使用する目的地情報と各標識装置のルート情報とを自動的に生成して，屋内誘導システムへ出力するため，屋内の誘導に必要なデータを生成する作業負担を軽減することができ，屋内の状況の変化や標識装置の設置状況の変化などに早期に対応することができる。
【図面の簡単な説明】
【００２１】
【図１】本発明の一実施例における屋内誘導システムのシステム構成例を示す図である。
【図２】標識装置の配置例を示す図である。
【図３】建物の１階フロアの標識装置の配置例を示す図である。
【図４】建物の２階フロアの標識装置の配置例を示す図である。
【図５】屋内誘導システムの標識装置およびユーザ端末のブロック構成の例を示す図である。
【図６】目的地情報の例を示す図である。
【図７】ルート情報の例を示す図（１）である。
【図８】ルート情報の例を示す図（２）である。
【図９】通信可能な２つの標識装置がある場合の処理例を示す図である。
【図１０】管理装置およびデータ生成装置のブロック構成の例を示す図である。
【図１１】屋内誘導システムのより詳細な誘導例を説明する図（１）である。
【図１２】屋内誘導システムのより詳細な誘導例を説明する図（２）である。
【図１３】屋内誘導システムのより詳細な誘導例を説明する図（３）である。
【図１４】屋内誘導システムのより詳細な誘導例を説明する図（４）である。
【図１５】屋内誘導システムのより詳細な誘導例を説明する図（５）である。
【図１６】屋内誘導システムのより詳細な誘導例を説明する図（６）である。
【図１７】屋内誘導システムのより詳細な誘導例を説明する図（７）である。
【図１８】屋内誘導システムのより詳細な誘導例を説明する図（８）である。
【図１９】標識装置の処理フロー図である。
【図２０】ユーザ端末の処理フロー図である。
【図２１】誘導情報の表示処理の処理フロー図である。
【図２２】データ生成装置の処理フロー図である。
【発明を実施するための形態】
【００２２】
図１は，本発明の一実施例における，屋内誘導システムのシステム構成例を示す図である。
【００２３】
図１に示すように，屋内誘導システム１は，誘導対象となる複数の階層構造を持つ建物の所定の位置に設置された標識装置２と，誘導を受けるユーザが携帯するユーザ端末３とを有する。さらに，屋内誘導システム１は，管理装置４を有する。さらに，屋内誘導システム１は，管理装置４とデータ通信が可能なデータ生成装置５を有する。
【００２４】
本実施形態において，屋内誘導システム１を構成する複数の標識装置２はネットワークを構成する。管理装置４は，ネットワークのメインサーバとして機能する。
【００２５】
管理装置４と接続する各フロアの標識装置２を，親装置である標識装置２Ｐとする。建物内の同一フロアに設置されている，１つの標識装置２Ｐ以外の標識装置２を，子装置の標識装置２Ｃとする。
【００２６】
管理装置は，建物の各フロアに設置されている１つの標識装置２Ｐと有線ＬＡＮによる通信が可能である。
【００２７】
同一フロア内の標識装置２Ｐ，２Ｃは，１つ無線ネットワークを構成する。無線通信のプロトコルは，米国電気電子技術者協会（ＩＥＥＥ）の短距離無線通信規格であるＩＥＥＥ８０２．１５．４に準拠する通信プロトコルであり，ＺｉｇＢｅｅ（Ｐｈｉｌｉｐｓ  Ｅｌｅｃｔｒｏｎｉｃｓ  Ｎ．Ｖ．社の登録商標）として知られている。
【００２８】
標識装置２Ｐは，ＺｉｇＢｅｅ通信プロトコルでの「ＺＣ」，「ＺＲ」の機能を実現し，標識装置２Ｃは，「ＺＲ」，「ＺＥＤ」の機能を実現する。「ＺＣ」は，ＺｉｇＢｅｅのネットワークに１台存在して，そのネットワークの制御を行う機能である。「ＺＲ」は，データの中継を行う機能である。「ＺＥＤ」は，ネットワークにおけるクライアント機能である。標識装置２Ｃ同士が直接通信可能な距離を，例えば２０〜３０ｍとする。それ以上の距離と通信を行う場合は，各標識装置２（２Ｐ，２Ｃ）おいて，自動的にハンドオーバ処理を行い，別の標識装置２に通信を行うようにする。
【００２９】
標識装置２Ｐまたは標識装置２Ｃとユーザ端末３とは，ＺｉｇＢｅｅ通信プロトコルによる無線通信を行う。
【００３０】
図２は，標識装置２の配置例を示す図である。図２に示す平面図において，丸印が標識装置２を示し，太い直線が標識装置２同士の隣接関係を示す隣接線を表す。
【００３１】
標識装置２は，１つの標識装置２の通信可能範囲内に別の標識装置２が配置されるように，二重格子状に設置される。
【００３２】
なお，本実施例において，標識装置２を二重格子状に設置するのは，隣接する標識装置２までの角度計算を簡単にするためである。実際には，建物内の歩行可能な場所の天井や壁などの適当な場所に，できる限り格子状に設置されるが，フロアの移動手段となる階段，エレベータ，エスカレータ等の近辺や目的地の近くでは，格子状ではない形状で設置されてもよい。
【００３３】
図３および図４は，建物の各フロアの標識装置２の配置例を示す図である。
【００３４】
図３は，１階フロアの標識装置２の配置例，図４は，２階フロアの標識装置２の配置例を示す。図３および図４において，フロアの平面図内の矩形は，目的地または歩行の障害となる構造物を示す。丸印は標識装置２の設置位置を示し，各丸印の右上の５桁の数字列，例えば，１０１０１，１０１０３等は，標識装置２の標識情報（標識ＩＤ）を示す。標識ＩＤは，屋内誘導システム１を構成する標識装置２を，誘導のための標識としてユニークに識別する情報である。
【００３５】
図３の１階フロアの標識装置２Ｐ（２０１０１），図４の２階フロアの標識装置２Ｐ（２０２０１）は，階層移動手段に対応付けられた標識装置２であり，また，管理装置４および他フロアの親の標識装置２Ｐと有線で接続する各フロアの親の標識装置２Ｐとして設置されている。
【００３６】
なお，屋内誘導システム１を構成する各フロアのどの標識装置２も，そのフロアの親の標識装置２Ｐとして機能することが可能である。
【００３７】
標識装置２は，データ通信処理の識別情報（識別ＩＤ）を有し，識別ＩＤとして，装置のＭＡＣアドレス情報，管理装置４が管理するアドレス情報が用いられる。
【００３８】
図５は，屋内誘導システムの標識装置２（２Ｐ，２Ｃ）およびユーザ端末３のブロック構成の例を示す図である。
【００３９】
標識装置２は，データ記憶部２０とデータ通信部２１とを備える。
【００４０】
データ記憶部２０は，通信中の標識装置２の識別ＩＤ，目的地情報，選択した目的地の識別情報（目的地に対応する標識装置２の識別ＩＤ），ルート情報等を記憶する。本実施例におけるデータ記憶部２０は，目的地情報記憶部とルート情報記憶部とに相当する。
【００４１】
図６は，目的地情報の例を示す図である。目的地情報は，建物内の目的地の識別情報である目的地名と，その目的地に対応付けられた標識装置２の識別情報である標識ＩＤとを示す情報である。目的地情報は，建物内に設置された全ての標識装置２のデータ記憶部２０に格納される。
【００４２】
図６の例では，図３に示す配置例の場合に，出入り口の最寄り位置には標識ＩＤ＝１０１０１の標識装置２，ＳｈｏｐＡには標識ＩＤ＝１０１０６の標識装置２が，それぞれ，設定されていることがわかる。
【００４３】
図７および図８は，ルート情報の例を示す図である。ルート情報は，目的地ごとに，自標識装置２からその目的地に対応する標識装置２へ到達する経路において，次に経由する標識装置２への方角を示す情報である。
【００４４】
図７および図８に示す「方角」の値は，基準軸（北）から反時計回りの角度で表し，北を示す「０」から「３５９」の値で示す。「方角：９０」が西を，「方角：１８０」が南を，「方角：２７０」が東を，それぞれ示す。
【００４５】
図７（Ａ）は，図３に示す標識装置（標識ＩＤ：１０１０１）２が保持するルート情報の例を示す図，図７（Ｂ）は，図３に示す標識装置（標識ＩＤ：１０１０３）２が保持するルート情報の例を示す図である。図８は，図３に示すフロア移動手段に対応する標識装置（標識ＩＤ：２０１０１）２が保持するルート情報の例を示す図である。
【００４６】
ユーザによって選択された目的地が，図４に示す，２階にある「飲食店Ａ（対応する標識装置２の識別ＩＤ：１０２１３）」であるとする。
【００４７】
この場合に，図７（Ａ）に示すルート情報によれば，標識装置２（識別ＩＤ：１０１０１）は，目的地「飲食店Ａ」（識別ＩＤ：１０２１３）への経路について，次に経由する標識装置２（図３に示す，識別ＩＤ：１０１０３の標識装置とする）への「方角」を示す「４５（北西）」のルート情報を保持することがわかる。
【００４８】
次に，標識装置（識別ＩＤ：１０１０３）２は，図７（Ｂ）に示すルート情報によれば，目的地「飲食店Ａ」（識別ＩＤ：１０２１３）への経路について，次に経由する標識装置２（図３に示す，識別ＩＤ：２０１０１の標識装置とする）への「方角」を示す「４５（北西）」のルート情報を保持することがわかる。
【００４９】
また，図８に示すように，フロア移動手段（ここではエレベータ）に対応する標識装置（識別ＩＤ：２０１０１）２は，目的地「飲食店Ａ」への経路について，次に経由する標識装置２への「方角」として値の代わりに，移動先を示す「２階（２Ｆ）」のルート情報を保持することがわかる。
【００５０】
また，目的地に対応する標識装置２では，自標識装置２が保持するルート情報において，その目的地へのルート情報の「方角」には値が設定されないものとし，図７に示すルート情報では，“−”で表す。
【００５１】
データ通信部２１は，無線通信を行って，管理装置４または他の標識装置２から，目的地情報およびルート情報を取得して，データ記憶部２０に格納する。
【００５２】
また，データ通信部２１は，無線通信を行って，ユーザ端末３から誘導要求を受信した場合に，誘導要求をしたユーザ端末３へ目的地情報を送信する。また，データ通信部２１は，ユーザ端末３から誘導を希望する目的地名（識別情報）を受信した場合に，受信した目的地名に対応するルート情報を，誘導要求をしたユーザ端末３へ送信する。
【００５３】
図５に示すように，ユーザ端末３は，誘導を受けようとするユーザが携帯する端末であり，誘導情報表示装置３０と，ユーザ端末３が向いている方角を取得する方角取得部３１０と，情報が表示される表示部３１１とを有する。ユーザ端末３は，例えば，携帯電話，ＰＤＡ（Ｐｅｒｓｏｎａｌ  Ｄａｔａ  Ａｓｓｉｓｔａｎｃｅ）等の端末である。ユーザ端末３の識別ＩＤとして，データ通信部３２のＭＡＣアドレス情報や，ユーザ端末３の携帯電話番号，携帯端末の固有番号などを使用する。
【００５４】
誘導情報表示装置３０は，ユーザ端末３にインストールされ実行されるソフトウェアプログラムおよびデータとして，または，メモリおよび演算処理部を備えたチップとして実施される。
【００５５】
誘導情報表示装置３０は，データ記憶部３１，データ通信部３２，目的地選択・判定部３３，方角計算部３４，誘導表示処理部３５，更新タイマ３６を備える。
【００５６】
データ記憶部３１は，データ通信部３２を介して取得した，目的地情報，選択した目的地，通信中の標識装置の識別ＩＤ，ルート情報などを記憶する。
【００５７】
データ通信部３２は，自ユーザ端末３と最短距離に位置する標識装置２と無線通信を行い，取得した情報をデータ記憶部３１へ格納する。データ通信部３２は，新たな標識装置２と通信を行うと，取得したデータをデータ記憶部３１に格納してデータ更新を行う。
【００５８】
目的地選択・判定部３３は，標識装置２から目的地情報を取得すると，目的地情報に含まれる目的地の一覧を表示部３１１へ表示する。ユーザが表示された目的地の一覧から誘導を要求する目的地を選択すると，選択した目的地として，その目的地に対応する標識装置２の識別ＩＤを，データ通信部３２を介して標識装置２へ送信する。また，選択された目的地に対応する標識装置２の識別ＩＤをデータ記憶部３１に保持しておく。
【００５９】
また，目的地選択・判定部３３は，データ通信部３２が通信を行った標識装置２が選択した目的地に対応する標識装置２である場合に，方角計算部３４と誘導表示処理部３５の処理を停止して，所定のメッセージを表示部３１１に表示させる。
【００６０】
方角計算部３４は，データ記憶部３１に記憶されたルート情報から，方角α（選択された目的地に対応する次の標識装置２への方角）を取得する。そして，この方角αと方角取得部３１０が取得したユーザ端末３の方角βとに基づいて，誘導用矢印の表示角度θを計算する。
【００６１】
ユーザ端末３の方角βは，ユーザ端末３の正面を示す基準軸から反時計回りで示す角度で表される。
【００６２】
方角計算部３４は，更新タイマ３６が所定時間の経過を通知するたびに，方角取得部３１０からユーザ端末３の方角βを取得する。そして，データ記憶部３１に記憶されたルート情報の方角αとユーザ端末３の方角βとの差分（α−β）を求めて，表示角度θとする。差分（α−β）がマイナスの場合には，３６０＋（α−β）を表示角度θとする。
【００６３】
例えば，ルート情報の方角αが「４５」であり，ユーザ端末３の方角βが「２７０」であれば，表示角度θは「１３５」となり，ユーザ端末３の方角βが「０」であれば，表示角度θは「４５」となる。
【００６４】
誘導表示処理部３５は，ユーザ端末３の正面を示す基準軸から，反時計回りに表示角度θ分だけ傾けた誘導用矢印の表示データを生成し，表示部３１１へ表示させる。
【００６５】
更新タイマ３６は，所定の経過時間（例えば５秒）を検出して，方角計算部３４へ通知する。
【００６６】
方角取得部３１０は，既知の電子コンパス機能によって実施され，所定の時間ごとにユーザ端末３が面している方角βを取得する。
【００６７】
表示部３１１は，既知の表示部機能によって実施され，誘導表示処理部３５が生成した誘導用矢印が表示される。
【００６８】
ユーザ端末３において，データ通信部３２は，標識装置２の通信可能な範囲に移動すると，その標識装置２と通信を行って，選択した目的地のルート情報を取得して，データ記憶部３１へ格納する。また，新しい標識装置２と通信可能となった場合に，新しいルート情報を取得する。方角計算部３４は，データ記憶部３１に記憶されたルート情報の方角に値が設定されている間は，表示角度θの計算を行い，誘導表示処理部３５は，表示角度θで傾けた矢印を表示する処理を繰り返す。
【００６９】
本実施形態では，目的地選択・判定部３３によって，目的地の近辺に到達したことを判断するが，方角計算部３４が，データ記憶部３１に記憶されたルート情報の方角に値が設定されていない場合に，このルート情報を送信した標識装置２が目的地に対応するものであると判定して，表示角度θの計算処理と，誘導用矢印の表示処理とを終了させるようにしてもよい。
【００７０】
目的地に近づいたと判定された場合には，誘導表示処理部３５は，例えば「目的地付近です」等のメッセージを表示部３１１へ表示する。
【００７１】
図９に示すように，ユーザ端末３が，２つの標識装置２の通信可能範囲にある場合には，データ通信部３２は，既に通信を行っている標識装置２ａから取得したルート情報をデータ記憶部３１に保持し続ける。そして，ユーザが重複する通信可能範囲を移動して，ユーザ端末３が標識装置２ｂの電波受信範囲に位置するようになったときに，データ通信部３２が，標識装置２ｂと通信を開始し，標識装置２ｂからルート情報を取得してデータ記憶部３１を更新する。標識装置２ｂとの通信可能範囲に進入して直ちにルート情報を更新してしまうと，表示部３１１の誘導用矢印の表示切り替えのタイミングが早過ぎてしまい，適切な誘導ができないからである。
【００７２】
図１０は，管理装置４およびデータ生成装置５のブロック構成の例を示す図である。
【００７３】
管理装置４は，標識装置アドレス記憶部４０，目的地情報記憶部４１，ルート情報記憶部４２，データ配信部４３を備える。
【００７４】
標識装置アドレス記憶部４０は，建物に設置された標識装置２のアドレス情報を記憶する。
【００７５】
目的地情報記憶部４１は，目的地情報を記憶する。
【００７６】
ルート情報記憶部４２は，複数の標識装置２各々におけるルート情報を記憶する。
【００７７】
データ配信部４３は，目的地情報の更新情報を受け付けて，目的地情報記憶部４１に記憶するとともに，受け付けた目的地情報の更新情報を標識装置２全てへ送信する処理と，ルート情報の更新情報を受け付けて，ルート情報記憶部４２に記憶するとともに，ルート情報の更新情報を該当する標識装置２へ送信する。
【００７８】
管理装置４は，データ生成装置５から送信された，目的地情報，ルート情報を受け付けて，それぞれを，目的地情報記憶部４１，ルート情報記憶部４２へ格納する。
【００７９】
データ配信部４３は，目的地情報とルート情報とを，各フロアの標識装置２Ｐへ送信すると，標識装置２Ｐは，ネットワーク配下の標識装置２Ｃへ，これらの情報を送信する。データ配信部４３は，屋内誘導システム１の全ての標識装置２へ一括して情報を送信してもよく，また，特定の標識装置２へ個別に情報を送信してもよい。また，標識措置２Ｐが近傍に位置する標識装置２Ｃへ情報を送信し，情報を受信した標識装置２Ｃが別の標識装置２Ｃへ情報を転送するようにしてもよい。
【００８０】
データ生成装置５は，屋内誘導システム１で使用されるデータを生成する装置であって，標識装置情報生成部５０と，目的地情報生成部５１と，ルート情報生成部５２と，データ出力部５３とを備える。
【００８１】
標識装置情報生成部５０は，誘導を行う建物内の平面図データを取得して，予め設定された間隔に基づいて，平面図データ内の所定の位置に標識装置２の設置位置を設定する処理と，平面図データ内に設定された標識装置２について，所定の隣接関係にある標識装置同士を接続して隣接線を設定して，標識装置２同士の設置位置の関係を示す標識装置情報を生成する処理とを行う。
【００８２】
また，標識装置情報生成部５０は，フロアの平面図上に設置された標識装置２同士を連結する情報を表示装置（図示しない）に表示させて（図２参照），管理者に，ユーザが歩行できない範囲を設定させたり，不要な連結情報を削除させたりする。
【００８３】
目的地情報生成部５１は，建物内に設置された標識装置２に目的地を対応付けて，対応付けた目的地の識別情報と標識装置２の識別情報とを示す目的地情報を生成する。
【００８４】
ルート情報生成部５２は，標識装置情報と目的地情報とをもとに，標識装置２各々から目的地情報の各目的地への最適経路を解析し，解析解析した最適経路を構成する標識装置２の並びを決定する処理と，決定した標識装置２の並びをもとに，その最適経路の標識装置２各々について，次に経由する標識装置２への方角を特定し，特定した方角を示すルート情報を生成する処理とを行う。ルート情報生成部５２は，最適経路の解析処理として，例えば，各標識装置２から目的地への経路が最短距離となる経路の解析，最小パスとなる経路の解析などを実行する。これらの解析以外にも，経路の所定のコストが最小となる経路の解析を実行してもよい。
【００８５】
データ出力部５３は，目的地情報とルート情報とを屋内誘導システム１を管理する管理装置４へ出力する。
【００８６】
以下，図１１〜図１８を用いて，屋内誘導システム１のより詳細な誘導例を説明する。図１１〜図１８の各図において，右上に示すリストは，各標識装置２が保持するルート情報の一部である。
【００８７】
この誘導例の説明を簡易にするため，方角を示す角度の基準軸を「北」とし，ユーザ端末３が正対する方角を示す方角βは，常に「北向き（０）」とする。
【００８８】
図１１に示す建物の１階の「出入り口」に，ユーザ端末３を携行するユーザがいると仮定する。
【００８９】
ユーザ端末３は，「出入り口」の最寄りの標識装置（１０１０１）２と通信を行い，標識装置（１０１０１）２から目的地情報を取得する。ユーザ端末３は，ユーザが選択した目的地「ＳｈｏｐＡ（対応する標識装置の識別ＩＤ：１０３０２）」を返信し，標識装置（１０１０１）２は，「ＳｈｏｐＡ」のルート情報（次方角：４５）をユーザ端末３へ送信する。
【００９０】
ユーザ端末３では，ルート情報に設定されている次に経由する標識装置（１０１０３）２への方角α（４５）と，ユーザ端末３の方角β（０）とに基づいて表示角度θ（４５）を計算して，基準軸とする北（０）から，反時計回りに４５度傾けた誘導用矢印（北西向き）を表示部３１１に表示する。
【００９１】
図１２に示すように，ユーザがこの表示に誘導されて進むことによって，次の標識装置（１０１０３）２の設置位置に近づいていくことになる。すると，ユーザ端末３は，次に，最寄りの標識装置（１０１０３）２と通信を行い，標識装置（１０１０３）２からルート情報（次方角：９０）を取得し，データ記憶部３１に保持していたルート情報を更新する。
【００９２】
ユーザ端末３は，ルート情報の，次に経由する標識装置（１０１０２）２への方角α（９０）と，ユーザ端末３の方角β（０）とに基づいて表示角度θ（９０）を計算して，基準軸（北向き）から反時計回りに９０度傾けた誘導用矢印（西向き）を表示部３１１に表示する。
【００９３】
図１３に示すように，ユーザが次の標識装置（１０１０２）２の設置位置に近づくと，ユーザ端末３は，標識装置（１０１０２）２と通信を行い，ルート情報（次方角：０）を取得して，保持していたルート情報を更新する。
【００９４】
ユーザ端末３は，ルート情報の標識装置（２０１０１）２への方角α（０）と，ユーザ端末３の方角β（０）とに基づいて表示角度θ（０）を計算して，基準軸（北向き）で表示した誘導用矢印を表示部３１１に表示する。
【００９５】
図１４に示すように，ユーザが次の標識装置（２０１０１）２の設置位置に近づくと，ユーザ端末３は，標識装置（２０１０１）２と通信を行い，ルート情報（次方角：３Ｆ）を取得して，保持していたルート情報を更新する。
【００９６】
ユーザ端末３は，ルート情報の方角に「３階（３Ｆ）」と設定されているので，表示角度θの計算を行わず，誘導用矢印の代わりに，「３Ｆへ移動してください」というメッセージを表示部３１１に表示する。
【００９７】
図１５に示すように，ユーザがこの表示に誘導されて，エレベータで３階フロア（３Ｆ）へ移動すると，標識装置（２０３０１）２の設置位置に近づく。ユーザ端末３は，標識装置（２０３０１）２と通信を行い，ルート情報（次方角：１８０）を取得して，保持していたルート情報を更新する。
【００９８】
ユーザ端末３は，ルート情報の，標識装置（１０３０１）２への方角α（１８０）と，ユーザ端末３の方角β（０）とに基づいて表示角度θ（１８０）を計算して，基準軸（北向き）から反時計回りに１８０度傾けた誘導用矢印（南向き）を表示部３１１に表示する。
【００９９】
図１６に示すように，ユーザが標識装置（１０３０１）２の設置位置に近づくと，ユーザ端末３は，標識装置（１０３０１）２と通信を行い，ルート情報（次方角：２７０）を取得して，保持していたルート情報を更新する。
【０１００】
ユーザ端末３は，ルート情報の標識装置（１０３０２）２への方角α（２７０）と，ユーザ端末３の方角β（０）とに基づいて表示角度θ（２７０）を計算して，基準軸（北向き）から反時計回りに２７０度傾けた誘導用矢印（東向き）を表示部３１１に表示する。
【０１０１】
図１７に示すように，ユーザが標識装置（１０３０２）２の設置位置に近づくと，ユーザ端末３は，標識装置（１０３０２）２と通信を行い，ルート情報（次方角：−）を取得して，保持していたルート情報を更新する。
【０１０２】
ユーザ端末３は，標識装置（１０３０２）２のルート情報から，通信相手が目的地「ＳｈｏｐＡ」に対応する標識装置２であると判断するので，誘導用矢印を表示せずに，「目的地付近です」というメッセージを表示部３１１に表示する。
【０１０３】
このようにして，標識装置２のルート情報をもとに，ユーザ端末３は，細やかな誘導情報を表示することができるため，ユーザは，１階フロアの出入り口から３階フロアの目的地「ＳｈｏｐＡ」まで，確実に到達することができる。
【０１０４】
また，図１８に示すように，ユーザが，誤って２階フロアへ移動してしまった場合には，２階フロアの標識装置（２０２０１）２の設置位置に近づくことになる。ユーザ端末３は，標識装置（２０２０１）２と通信を行い，ルート情報（次方角：３Ｆ）を取得して，保持していたルート情報を更新する。
【０１０５】
ユーザ端末３は，ルート情報の方角αに「３階（３Ｆ）」と設定されているので，表示角度θの計算を行わず，誘導用矢印を表示せずに，「３Ｆへ移動してください」というメッセージを表示部３１１に表示する。この表示により，ユーザは，間違ったフロアへ移動したことに気付き，３階フロアへ移動し直すことができる。
【０１０６】
図１９は，標識装置２の処理フロー図である。
【０１０７】
標識装置２は，ユーザ端末３からアクセス要求（誘導要求）を受信すると（ステップＳ１０），データ通信部２１が通信を開始して，目的地情報を送信する（ステップＳ１１）。そして，ユーザ端末３から，選択された目的地（目的地に対応する標識装置２の識別情報）を受信すると（ステップＳ１２），ユーザ端末３の識別ＩＤを保持する（ステップＳ１３）。
【０１０８】
標識装置２は，ルート情報から，受信した目的地に対応する「方角」を検索して（ステップＳ１４），検索した方角をユーザ端末３へ送信し（ステップＳ１５），その後，ユーザ端末３の識別ＩＤを削除する（ステップＳ１６）。
【０１０９】
図２０は，ユーザ端末３の処理フロー図である。
【０１１０】
ユーザ端末３は，通信可能な標識装置２に対して，アクセス要求（誘導要求）を送信する（ステップＳ２０）。そして，目的地選択・判定部３３が，標識装置２から目的地情報を受信して，ユーザによって選択された目的地（対応する標識装置の識別ＩＤ）を，データ通信部３２を介して送信する（ステップＳ２１）。
【０１１１】
さらに，データ通信部３２が標識装置２からルート情報（方角）を受信して，データ記憶部３１のルート情報を更新する（ステップＳ２２）。更新されたルート情報をもとに，方角計算部３４と誘導表示処理部３５が，誘導情報の表示処理を行う（ステップＳ２３）。このステップＳ２３の処理の詳細は，後述する。
【０１１２】
ユーザ端末３が通信可能な標識装置２が切り替わるかをチェックして（ステップＳ２４），切り替わらなければ（ステップＳ２４のＮＯ），所定の時間ごとに，ステップＳ２３の処理を繰り返す。
【０１１３】
ユーザ端末３が通信可能な標識装置２が切り替われば（ステップＳ２４のＹＥＳ），目的地選択・判定部３３が，切り替わった標識装置２が目的地に対応するものであるかを調べる（ステップＳ２５）。
【０１１４】
切り替わった標識装置２が目的地に対応するものでなければ（ステップＳ２５のＮＯ），ステップＳ２２の処理へ戻り，ステップＳ２３，Ｓ２４の処理を行う。切り替わった標識装置２が目的地に対応するものであれば（ステップＳ２５のＹＥＳ），誘導表示処理部３５は，目的地の近くである旨のメッセージを表示部３１１へ表示する（ステップＳ２６）。
【０１１５】
図２１は，ステップＳ２３の誘導情報の表示処理の処理フロー図である。
【０１１６】
ユーザ端末３の方角計算部３４は，取得したルート情報の「方角」が設定無し（−）であるかを調べ（ステップＳ３０），「方角」が設定無し（−）でなければ（ステップＳ３０のＮＯ），取得したルート情報の「方角」が値（角度）であるかを調べる（ステップＳ３１）。取得したルート情報の「方角」が値（角度）であれば（ステップＳ３１のＹＥＳ），ルート情報の方角αを取得する（ステップＳ３２）。方角取得部３１０からユーザ端末３の方角βを取得して（ステップＳ３３），方角αと方角βから，表示額度θを計算する（ステップＳ３４）。誘導表示処理部３５は，基準軸から表示角度θで傾けた誘導用矢印を表示する（ステップＳ３５）。
【０１１７】
取得したルート情報の「方角」が値（角度）でなければ（ステップＳ３１のＮＯ），誘導表示処理部３５は，ルート情報に示された移動先を示すメッセージを表示部３１１に表示する（ステップＳ３６）。
【０１１８】
また，取得したルート情報の「方角」が設定無し（−）であれば（ステップＳ３０のＹＥＳ），誘導表示処理部３５は，目的地付近であることを示すメッセージを表示部３１１に表示する（ステップＳ３７）。
【０１１９】
図２２は，データ生成装置５の処理フローである。
【０１２０】
データ生成装置５の標識装置情報生成部５０は，建物の各フロアの平面図データを読み込むと，表示装置（図示しない）に表示させる（ステップＳ４０）。管理者によって，建物の平面図の外周を囲うような範囲が指定されると，標識装置情報生成部５０は，表示された平面図データ上で標識装置２を設置する配置範囲を指定する（ステップＳ４１）。そして，指定された配置範囲内に，平面図データの倍率に基づいて，標識装置２を所定の間隔で二重格子状に配置し，その位置を表示する。さらに，隣り合う標識装置２同士を隣接線で接続する（ステップＳ４２）。なお，ステップＳ４２では，１つの標識装置２から，縦・横・斜めの８つの隣接線を接続することができる。
【０１２１】
標識装置情報生成部５０は，平面図データ上で設置された標識装置２と隣接線について，不要なものを削除する（ステップＳ４３）。例えば，管理者によって削除対象として，建物外や歩行不可能な範囲に設置された標識装置２，壁や構造物等の障害物を通過する隣接線などが選択されると，これらの標識装置２，隣接線を平面図データ等から削除する。
【０１２２】
さらに，配置された標識装置２のうち，階段，エレベータ，エスカレータなどの移動手段の近くにある標識装置２を，移動手段用の標識装置２として特定する（ステップＳ４４）。
【０１２３】
次に，目的地情報生成部５１は，配置された標識装置２のうち，目的地とその目的地に最寄りの標識装置２を，目的地の標識装置２として特定する（ステップＳ４５）。
【０１２４】
なお，平面図データ上で，移動手段の標識装置２，目的地の標識装置２の表示色を変えて表示してもよい。
【０１２５】
次に，ルート情報生成部５２は，平面図上に設定された標識装置２の位置，隣接線等に基づいて，各標識装置２から，目的地の標識装置２までの最適経路を計算する（ステップＳ４６）。なお，同一フロア内に目的地の標識装置２が存在しない場合に，一番近くに設定されている移動手段の標識装置２への最適経路を計算する。そして，目的地への最適経路における標識装置２の並びを特定し，自標識装置から次に経由する標識装置２への方角を，各標識装置について計算する（ステップＳ４７）。
【０１２６】
ルート情報生成部５２は，目的地情報の目的地と，ステップＳ４７で計算した方角または他の階層構造への移動の指示とを対応付けた各標識装置２用のルート情報を生成する（ステップＳ４８）。
【０１２７】
なお，このようなステップＳ４１〜ステップＳ４８の処理は，建物の全ての階層の平面図データに対して行われる。
【０１２８】
以上の本実施例に示されるように，本発明にかかる屋内誘導システムを，建物内の案内業務に適用した場合に，次のような効果が得られる。
【０１２９】
（１）従来のＧＰＳ機能を搭載した案内システムが不可能であった屋内での案内業務において，訪問者を確実に目的地へ誘導することができる。
【０１３０】
（２）目的地への経路に，階段・エスカレータ・エレベータ等の階層間の移動手段の使用が含まれる場合でも，自動的に次の標識装置へ誘導することができる。
【０１３１】
（３）ユーザ端末は，最寄りの認識装置と無線通信を行うため，ユーザの移動時においても十分な感度でルート情報を取得することができる。
【０１３２】
（４）ユーザ端末の表示部には，ユーザが進むべき方向を矢印で表示するだけであり，特別な操作が不要であり，かつ，直観的に進行方向を把握することができる。
【０１３３】
以上の説明では，屋内誘導システム１の同一フロア内でのデータ通信を，ＩＥＥＥ８０２．１５．４に準拠する通信プロトコルのネットワークを用いて行う場合の実施例を説明したが，本願発明は，これに限定されるものではなく，その記述の主旨の範囲において種々の変形が可能であることは当然である。例えば，屋内誘導システム１は，ＩＥＥＥ８０２．１５に準拠するいずれかの通信プロトコルを採用することができ，通常，ＷＰＡＮと呼ばれる，数〜数十メートルの範囲で使用される無線ネットワークであれば，どのような無線ネットワークを利用して実施してもよい。
【０１３４】
また，方角計算部３４が行う方角の計算処理において，基準軸から時計回りに特定される値を用いた計算処理でもよく，また，方角を特定する他の処理でもよい。
【０１３５】
さらに，誘導情報表示装置３０を実施するプログラムは，コンピュータが読み取り可能な，可搬媒体メモリ，半導体メモリ，ハードディスクなどの適当な記録媒体に格納することができ，これらの記録媒体に記録して提供される。または，このプログラムは，通信インタフェースを介して種々の通信網を利用した送受信により提供される。
【符号の説明】
【０１３６】
１  屋内誘導システム
２（２Ｐ，２Ｃ）  標識装置
２０  データ記憶部
２１  データ通信部
３  ユーザ端末
３０  誘導情報表示装置
３１  データ記憶部
３２  データ通信部
３３  目的地選択・判定部
３４  方角計算部
３５  誘導表示処理部
３６  更新タイマ
３１０  方角取得部（電子コンパス）
３１１  表示部
４  管理装置
４０  標識装置アドレス記憶部
４１  目的地情報記憶部
４２  ルート情報記憶部
４３  データ配信部
５  データ生成装置
５０  標識装置情報生成部
５１  目的地情報生成部
５２  ルート情報生成部
５３  データ出力部
【図１】
0005480549.tif 000002
【図２】
0005480549.tif 000003
【図３】
0005480549.tif 000004
【図４】
0005480549.tif 000005
【図５】
0005480549.tif 000006
【図６】
0005480549.tif 000007
【図７】
0005480549.tif 000008
【図８】
0005480549.tif 000009
【図９】
0005480549.tif 000010
【図１０】
0005480549.tif 000011
【図１１】
0005480549.tif 000012
【図１２】
0005480549.tif 000013
【図１３】
0005480549.tif 000014
【図１４】
0005480549.tif 000015
【図１５】
0005480549.tif 000016
【図１６】
0005480549.tif 000017
【図１７】
0005480549.tif 000018
【図１８】
0005480549.tif 000019
【図１９】
0005480549.tif 000020
【図２０】
0005480549.tif 000021
【図２１】
0005480549.tif 000022
【図２２】
0005480549.tif 000023